(57)【要約】【課題】  移動通信端末装置の電力消費を抑えてユーザーの利便性を向上させる。【解決手段】送信側の移動通信端末の制御部１０１は、カメラ部１０５から入力された画像データをフレーム単位で記憶部１０９に保存する。次に、比較判定部１１２を用いて、最新フレームの画像データと１つ前のフレームの画像データとの変化の大きさを判定する。そして、変化の大きさが規定レベルより小さい場合は、通知生成部１１４を用いて、相手側の移動通信端末へ画像データ送信停止通知信号を送出する。そして前記画像データの送信を停止する。受信側の移動通信端末の制御部１０１は、通知監視部１１３により画像データ送信停止通知信号を検出すると、画像データの受信動作を停止する。そして、受信側の移動通信端末の記憶部に最後に保存した画像データを静止画として表示装置に表示する。【選択図】      図１
2005184632.tif 000002
【特許請求の範囲】
【請求項１】
送信側の通信端末にあって、予め備えた入力装置から時系列で入力される画像データ間に規定レベル以上の変化がない場合は、受信側の通信端末への前記画像データの送信を停止し、前記受信側の通信端末にあっては前記画像データの送信を停止されると、前記受信側の通信端末に保存されている前記画像データを前記受信側の通信端末の表示装置に表示することを特徴とする通信端末における消費電力削減方法。
【請求項２】
前記送信側の通信端末にあって、前記画像データの送信を停止した後、前記入力装置から前記時系列で入力される前記画像データ間に前記規定レベル以上の変化が発生した場合は、前記受信側の通信端末への前記画像データの送信を開始し、前記受信側の通信端末にあっては前記画像データの送信を開始されると、前記開始後に受信する前記画像データを前記表示装置に表示することを特徴とする請求項１記載の通信端末における消費電力削減方法。
【請求項３】
前記受信側の通信端末の表示装置に表示される前記画像データは、前記画像データの送信を停止される前に受信し保存した最後の前記画像データであることを特徴とする請求項１記載の通信端末における消費電力削減方法。
【請求項４】
前記入力装置が前記通信端末に備えられたテレビカメラであることを特徴とする請求項１または２記載の通信端末における消費電力削減方法。
【請求項５】
前記通信端末が、移動通信端末であることを特徴とする請求項１または２記載の通信端末における消費電力削減方法。
【請求項６】
送信側の通信端末にあって、前記通信端末に備えられた入力装置から入力された画像データをフレーム単位で予め備えられた記憶装置に保存し、前記記憶装置に保存された最新フレームの前記画像データと１つ前のフレームの前記画像データとの変化の大きさが規定レベルより小さい場合は、受信側の通信端末へ画像データ送信停止通知信号を送出するとともに前記画像データの送信を停止し、前記受信側の通信端末にあっては前記画像データ送信停止通知信号を受信すると、前記画像データの受信動作を停止し、前記受信側の通信端末の前記記憶装置に保存した前記画像データを静止画として前記受信側の通信端末の表示装置に表示することを特徴とする通信端末における消費電力削減方法。
【請求項７】
前記送信側の通信端末は、前記画像データ送信停止通知信号を送信後に前記記憶装置に保存された最新フレームの前記画像データと１つ前のフレームの前記画像データとの変化の大きさが前記規定レベル以上になった場合は、前記受信側の通信端末へ画像データ送信再開通知信号を送出するとともに前記最新フレームの前記画像データの送信を再開し、前記受信側の通信端末にあっては前記画像データ送信再開通知信号を受信すると、前記画像データ送信再開通知信号受信後に受信する前記画像データを前記記憶装置に順次保存するとともに前記表示装置に表示することを特徴とする請求項６記載の通信端末における消費電力削減方法。
【請求項８】
前記受信側の通信端末の表示装置に表示される前記画像データは、前記画像データ送信停止通知信号を受信する以前に前記送信側の通信端末から受信し前記記憶装置に保存した最後の前記画像データであることを特徴とする請求項６記載の通信端末における消費電力削減方法。
【請求項９】
前記入力装置が前記通信端末に備えられたテレビカメラであることを特徴とする請求項６または７記載の通信端末における消費電力削減方法。
【請求項１０】
前記通信端末が、移動通信端末であることを特徴とする請求項６または７記載の通信端末における消費電力削減方法。
【請求項１１】
送信側の通信端末であって、予め備えた入力装置から時系列で入力される画像データに規定レベル以上の変化がない場合は受信側の通信端末への前記画像データの送信を停止する送信制御手段を含んで構成され、前記受信側の通信端末であって、前記画像データの送信を停止されると前記受信側の通信端末に保存されている前記画像データを前記受信側の通信端末の表示装置に表示する受信制御手段を含んで構成されることを特徴とする通信端末。
【請求項１２】
前記送信制御手段は、前記画像データの送信を停止した後、前記入力装置から前記時系列で入力される前記画像データ間に前記規定レベル以上の変化が発生した場合は、前記受信側の通信端末への前記画像データの送信を開始し、前記受信制御手段は前記画像データの送信を開始されると、前記開始後に受信する前記画像データを前記表示装置に表示することを特徴とする請求項１１記載の通信端末。
【請求項１３】
前記受信側の通信端末の表示装置に表示される前記画像データは、前記画像データの送信を停止される前に受信し保存した最後の前記画像データであることを特徴とする請求項１１記載の通信端末。
【請求項１４】
前記入力装置は、前記通信端末に備えられたテレビカメラであることを特徴とする請求項１１または１２記載の通信端末。
【請求項１５】
前記通信端末が、移動通信端末であることを特徴とする請求項１１または１２記載の通信端末。
【請求項１６】
送信側の通信端末であって、前記通信端末に備えられた入力装置から入力された画像データをフレーム単位で予め備えた記憶装置に保存し、前記記憶装置に保存された最新フレームの前記画像データと１つ前のフレームの前記画像データとの変化の大きさを比較判定手段を用いて判定し、前記変化の大きさが規定レベルより小さい場合は通知生成手段を用いて受信側の通信端末へ画像データ送信停止通知信号を送出するとともに前記画像データの送信を停止する送信制御手段を含んで構成され、前記受信側の通信端末であって、通知監視手段により前記画像データ送信停止通知信号を検出すると前記画像データの受信動作を停止し、それまで前記送信側の通信端末から受信した前記画像データであって前記受信側の通信端末の前記記憶装置に最後に保存した前記画像データを静止画として前記受信側の通信端末の表示装置に表示する受信制御手段を含んで構成されることを特徴とする通信端末。
【請求項１７】
前記送信制御手段は、前記画像データ送信停止通知信号を送信後に前記記憶装置に保存された最新フレームの前記画像データと１つ前のフレームの前記画像データとの変化の大きさを比較判定手段を用いて判定し、前記変化の大きさが前記規定レベル以上になった場合は、前記通知生成手段を用いて前記受信側の通信端末へ画像データ送信再開通知信号を送出するとともに前記最新フレームの前記画像データの送信を再開し、前記受信制御手段は、前記通知監視手段により前記画像データ送信再開通知信号を検出すると、前記画像データ送信再開通知信号受信後に受信する前記画像データを前記記憶装置に順次保存するとともに前記表示装置に表示する前記受信制御手段を含んで構成されることを特徴とする請求項１６記載の通信端末。
【請求項１８】
前記受信側の通信端末の表示装置に表示される前記画像データは、前記画像データ送信停止通知信号を受信する以前に前記送信側の通信端末から受信し前記記憶装置に保存した最後の前記画像データであることを特徴とする請求項１６記載の通信端末。
【請求項１９】
前記入力装置が前記通信端末に備えられたテレビカメラであることを特徴とする請求項１６または１７記載の通信端末。
【請求項２０】
前記通信端末が、移動通信端末であることを特徴とする請求項１６または１７記載の通信端末。
【発明の詳細な説明】
【技術分野】
【０００１】
本発明は通信端末における消費電力削減方法及び通信端末に関し、特に、テレビ電話の無線トラフィックの低減化により消費電力削減を図った移動通信端末における消費電力削減方法及び移動通信端末に関する。
【背景技術】
【０００２】
現在、通信事業者によって運営される移動体通信システムにおいては、ＰＤＣ／ＧＳＭ方式（注）に代表される狭帯域通信方式を用いた第２世代携帯電話信システムが中心である。そして、今、第２世代携帯電話信システムからWｉｄｅＢａｎｄ-CDMA方式に代表される広帯域通信方式を用いた第３世代携帯電話システムへ移行しつつある。
【０００３】
（注）
・ＰＤＣ（日本国内で利用される第2世代デジタル携帯電話の移動通信方式名：Personal Digital Cellular）
・ＧＳＭ（欧州で規格統一された第2世代デジタル携帯電話機の標準規格方式名：Global System for Mobile Communications）
・ＣＤＭＡ（符号分割多重接続：Code Division Multiple Access）
第３世代携帯電話のキラーコンテンツとして注目される機能の一つにテレビ電話機能がある。テレビ電話機能は、今後スタンダードな機能となる事が予想される。
【０００４】
しかしながら、第３世代携帯電話システムに用る移動通信端末における大きな課題は、その通信方式上、端末の無線部における消費電力が多いことである。そのことによりバッテリーライフが短命化し、ユーザーの使い勝手が著しく低下する。
【０００５】
それに加えて、テレビ電話などの付加機能が電力消費を加速させており、そのため電力削減施策の実現が強く求められている。即ち、テレビ電話機能は、高負荷なコンテンツであり、システム全体の負荷から考えた場合システム資源を多く占有する。そのため、無線トラフィックの低減化施策が必要となる。
【０００６】
この無線トラフィックの低減化と電力削減効果との関係を、以下に説明する。
【０００７】
広帯域ＣＤＭＡ通信方式は、情報の帯域幅よりはるかに広い周波数帯域に信号のエネルギーを拡散して通信を行う方式である。ＳＦ（拡散率：Ｓｐｒｅａｄｉｎｇ  Ｆａｃｔｏｒ）は、Ｔ（ビット区間）／Ｔｃ（チップ区間）で表され、広帯域ＣＤＭＡにおけるＳＦは４〜５１２の範囲の値がとられる。Ｔｃで表される１チップ区間は固定値であり、Ｔで表される１ビット情報区間は通信される情報量により可変である。情報量が少ない場合にはデータレートを下げて通信できることからＴｃ当たりのＴが長くなり結果としてＳＦは大きくなる。ＳＦが大きい場合１シンボルのデータを送る際に多くのチップ（単位電力と同義）が使用される為、希望波の逆拡散後のパワーピークが大となる。以上のことから、送信する情報量を積極的に減らすことにより無線送信パワーを下げた場合でも、受信端末側における逆拡散後のパワーピークは十分なレベルが確保できる。その結果、送信側端末装置の電力消費の低減効果が期待できる。また、自端末の無線送信パワーを下げることにより、自端末の送信波を非希望波とする他の受信端末におけるＳＩＲ（Signal Interference Ratio）が相対的に向上する。結果として、自端末の無線送信パワーを下げることは、限りあるシステム全体の回線加入者容量の有効利用に寄与する。
【０００８】
このテレビ電話機能搭載の携帯端末における電力消費低減化対策として、カメラで撮影している画像データに変化がないときにはカメラの電源をオフにする方法が提案されている（例えば、特許文献１を参照。）。
【０００９】
即ち、携帯端末は、カメラで撮影中のときには、この撮影している画像データをＲＡＭに記録させるとともにこの画像に変化があるかどうかを判定する。そして携帯端末は、画像データに変化がないことが判明したときには画像撮影回路を停止させるために電源回路をオフにする。このことによって携帯端末は、無駄な消費電力を抑えることができる。
【００１０】
【特許文献１】特開平２００１−１３６４２３号公報
【発明の開示】
【発明が解決しようとする課題】
【００１１】
しかしながら、上述した、特開平２００１−１３６４２３号公報によるテレビ電話の電力削減施策は、以下の問題がある。
【００１２】
・画像に変化がない、即ち画像の変化量が０の時のみ、電力削減施策を実施するため、消費電力低減効果が小さくなる。
【００１３】
・画像データに変化が見られないときにはカメラの電源をオフにするため、画像データ送出再開時のレスポンスが悪くなる。
【００１４】
・画像データに変化が見られないときは、メモリに記憶していた画像を相手端末に送信するため、無線トラフィックの低減化効果が得られない。
【００１５】
本発明は以上の問題点を解決した移動通信端末における消費電力削減方法及び移動通信端末を提供する。即ち、本発明は、移動通信端末装置の電力消費を抑えてユーザーの利便性を向上させ、またシステム通信資源の有効活用に寄与することを可能にする。
【課題を解決するための手段】
【００１６】
本願の第１の発明は、送信側の通信端末にあって、予め備えた入力装置から時系列で入力される画像データ間に規定レベル以上の変化がない場合は、受信側の通信端末への前記画像データの送信を停止し、前記受信側の通信端末にあっては前記画像データの送信を停止されると、前記受信側の通信端末に保存されている前記画像データを前記受信側の通信端末の表示装置に表示することを特徴とする。
【００１７】
本願の第２の発明は、第１の発明の前記送信側の通信端末にあって、前記画像データの送信を停止した後、前記入力装置から前記時系列で入力される前記画像データ間に前記規定レベル以上の変化が発生した場合は、前記受信側の通信端末への前記画像データの送信を開始し、前記受信側の通信端末にあっては前記画像データの送信を開始されると、前記開始後に受信する前記画像データを前記表示装置に表示することを特徴とする。
【００１８】
本願の第３の発明は、第１の発明の前記受信側の通信端末の表示装置に表示される前記画像データは、前記画像データの送信を停止される前に受信し保存した最後の前記画像データであることを特徴とする。
【００１９】
本願の第４の発明は、第１または第２の発明の前記入力装置が前記通信端末に備えられたテレビカメラであることを特徴とする。
【００２０】
本願の第５の発明は、第１または第２の発明の前記通信端末が、移動通信端末であることを特徴とする。
【００２１】
本願の第６の発明は、送信側の通信端末にあって、前記通信端末に備えられた入力装置から入力された画像データをフレーム単位で予め備えられた記憶装置に保存し、前記記憶装置に保存された最新フレームの前記画像データと１つ前のフレームの前記画像データとの変化の大きさが規定レベルより小さい場合は、受信側の通信端末へ画像データ送信停止通知信号を送出するとともに前記画像データの送信を停止し、前記受信側の通信端末にあっては前記画像データ送信停止通知信号を受信すると、前記画像データの受信動作を停止し、前記受信側の通信端末の前記記憶装置に保存した前記画像データを静止画として前記受信側の通信端末の表示装置に表示することを特徴とする。
【００２２】
本願の第７の発明は、第６の発明の前記送信側の通信端末は、前記画像データ送信停止通知信号を送信後に前記記憶装置に保存された最新フレームの前記画像データと１つ前のフレームの前記画像データとの変化の大きさが前記規定レベル以上になった場合は、前記受信側の通信端末へ画像データ送信再開通知信号を送出するとともに前記最新フレームの前記画像データの送信を再開し、前記受信側の通信端末にあっては前記画像データ送信再開通知信号を受信すると、前記画像データ送信再開通知信号受信後に受信する前記画像データを前記記憶装置に順次保存するとともに前記表示装置に表示することを特徴とする。
【００２３】
本願の第８の発明は、第６の発明の前記受信側の通信端末の表示装置に表示される前記画像データは、前記画像データ送信停止通知信号を受信する以前に前記送信側の通信端末から受信し前記記憶装置に保存した最後の前記画像データであることを特徴とする。
【００２４】
本願の第９の発明は、第６または第７の発明の前記入力装置が前記通信端末に備えられたテレビカメラであることを特徴とする。
【００２５】
本願の第１０の発明は、第６または第７の発明の前記通信端末が、移動通信端末であることを特徴とする。
【００２６】
本願の第１１の発明は、送信側の通信端末であって、予め備えた入力装置から時系列で入力される画像データに規定レベル以上の変化がない場合は受信側の通信端末への前記画像データの送信を停止する送信制御手段を含んで構成され、前記受信側の通信端末であって、前記画像データの送信を停止されると前記受信側の通信端末に保存されている前記画像データを前記受信側の通信端末の表示装置に表示する受信制御手段を含んで構成されることを特徴とする。
【００２７】
本願の第１２の発明は、第１１の発明の前記送信制御手段は、前記画像データの送信を停止した後、前記入力装置から前記時系列で入力される前記画像データ間に前記規定レベル以上の変化が発生した場合は、前記受信側の通信端末への前記画像データの送信を開始し、前記受信制御手段は前記画像データの送信を開始されると、前記開始後に受信する前記画像データを前記表示装置に表示することを特徴とする。
【００２８】
本願の第１３の発明は、第１１の発明の前記受信側の通信端末の表示装置に表示される前記画像データは、前記画像データの送信を停止される前に受信し保存した最後の前記画像データであることを特徴とする。
【００２９】
本願の第１４の発明は、第１１または第１２の発明の前記入力装置は、前記通信端末に備えられたテレビカメラであることを特徴とする。
【００３０】
本願の第１５の発明は、第１１または第１２の発明の前記通信端末が、移動通信端末であることを特徴とする。
【００３１】
本願の第１６の発明は、送信側の通信端末であって、前記通信端末に備えられた入力装置から入力された画像データをフレーム単位で予め備えた記憶装置に保存し、前記記憶装置に保存された最新フレームの前記画像データと１つ前のフレームの前記画像データとの変化の大きさを比較判定手段を用いて判定し、前記変化の大きさが規定レベルより小さい場合は通知生成手段を用いて受信側の通信端末へ画像データ送信停止通知信号を送出するとともに前記画像データの送信を停止する送信制御手段を含んで構成され、前記受信側の通信端末であって、通知監視手段により前記画像データ送信停止通知信号を検出すると前記画像データの受信動作を停止し、それまで前記送信側の通信端末から受信した前記画像データであって前記受信側の通信端末の前記記憶装置に最後に保存した前記画像データを静止画として前記受信側の通信端末の表示装置に表示する受信制御手段を含んで構成されることを特徴とする。
【００３２】
本願の第１７の発明は、第１６の発明の前記送信制御手段は、前記画像データ送信停止通知信号を送信後に前記記憶装置に保存された最新フレームの前記画像データと１つ前のフレームの前記画像データとの変化の大きさを比較判定手段を用いて判定し、前記変化の大きさが前記規定レベル以上になった場合は、前記通知生成手段を用いて前記受信側の通信端末へ画像データ送信再開通知信号を送出するとともに前記最新フレームの前記画像データの送信を再開し、前記受信制御手段は、前記通知監視手段により前記画像データ送信再開通知信号を検出すると、前記画像データ送信再開通知信号受信後に受信する前記画像データを前記記憶装置に順次保存するとともに前記表示装置に表示する前記受信制御手段を含んで構成されることを特徴とする。
【００３３】
本願の第１８の発明は、第１６の発明の前記受信側の通信端末の表示装置に表示される前記画像データは、前記画像データ送信停止通知信号を受信する以前に前記送信側の通信端末から受信し前記記憶装置に保存した最後の前記画像データであることを特徴とする。
【００３４】
本願の第１９の発明は、第１６または第１７の発明の前記入力装置が前記通信端末に備えられたテレビカメラであることを特徴とする。
【００３５】
本願の第２０の発明は、第１６または第１７の発明の前記通信端末が、移動通信端末であることを特徴とする。
【発明の効果】
【００３６】
以上説明したように、本発明においては、第１の効果は、バッテリライフの延命を図りユーザーの利便性を向上させることができる点である。その理由は、以下の２点にある。（１）画像の変化量が一定値以下の場合は、動画像データの送受信を停止するので、テレビ電話通信中の送信側移動通信端末における送信パワーを低減できる。（２）さらに、画像の変化量が一定値以下の場合は、送信側と受信側双方の移動通信端末における画像データ処理動作に要する電力を低減できる。
【００３７】
第２の効果は、有限である回線加入者容量の有効利用に寄与することができる点である。その理由は、画像の変化量が一定値以下の場合は、動画像データの送信を停止するので、通信システムにおける無線トラフィックを低減出来るからである。
【発明を実施するための最良の形態】
【００３８】
次に、本発明を実施するための最良の形態について図面を参照して詳細に説明する。
【００３９】
図１を参照すると、本発明の一実施するための最良の形態としてのテレビ電話機能付き移動通信端末の構成が示されている。
【００４０】
図１を参照すると、本発明のテレビ電話機能付き移動通信端末は、制御部１０１と、周辺装置から構成される。周辺装置は、無線部１０３とベースバンド部１０４とカメラ部１０５と画像処理部１０６と表示部１０７とキー操作部１０８と記憶部１０９から構成される。周辺装置は全て制御部１０１に接続されており、制御部１０１により制御される。制御部１０１は、比較判定部１１２、通知監視部１１３、通知生成部１１４を内包する。画像処理部１０６は差分算出演算部１１１を内包する。
【００４１】
図１を参照して、本発明の動作概要を以下に説明する。
【００４２】
まず、画像処理部１０６に内包する差分算出演算部１１１はカメラ部１０５からの入力される連続した２つのフレームの画像信号から被写体の変化量をリアルタイムに演算する。制御部１０１は、該演算した情報に基づき、一定値以下の変化量の画像フレームが連続したと判定した場合に通知生成部１１４により画像データ送信停止通知を生成する。そして、ベースバンド部１０４及び無線部１０３及びアンテナ１０２を介して通信相手端末に画像データ送信停止通知を送信したのち、画像データの送信動作停止制御を行う。そののち該演算した情報に基づき制御部１０１は一定値以上の変化量の画像フレームが入力されたと判定した場合に通知生成部１１４により画像データ送信再開通知を生成する。そして、ベースバンド部１０４及び無線部１０３及びアンテナ１０２を介して通信相手端末に画像データ送信再開通知を送信したのち画像データの送信動作再開制御を行う。
【００４３】
また、制御部１０１は通信相手端末から送信される画像データ送信停止通知を通知監視部１１４により監視する。画像データ送信停止通知を検出した場合には、制御部１０１は表示部１０７への受信画像データの表示更新動作の停止制御および画像データの受信動作停止制御を行う。そののち通信相手端末から送信される画像データ送信再開通知を通知監視部１１４により監視する。画像データ送信再開通知を検出した場合には、制御部１０１は表示部１０７への受信画像データの表示更新動作の再開制御および画像データの受信動作再開制御を行う。
【００４４】
次に、図１を用いて本発明の移動通信端末の各部位の機能をテレビ電話通信時の画像データの流れにそって詳細に説明する。
【００４５】
まず、基地局へ画像データを送信する送信側端末について説明する。送信側端末のオペレータを撮影するカメラ部１０５は画像データを１フレーム単位で画像処理部１０６に出力する。画像処理部１０６は入力された画像データに対して任意の画像処理を施したのち制御部１０１を介して一旦記憶部１０９に画像データとして保存する。記憶部１０９には１フレーム前の画像データと最新フレームの画像データとの連続する２フレーム分の画像データを保持するものとする。尚、記憶部１０９内には画像データの記憶領域以外に、制御部１０１の動作を実行する為のメインプログラム記憶領域、ワークエリア領域およびＩＤデータ領域などが含まれる。
【００４６】
制御部１０１は記憶部１０９内に保持されている新旧２フレームの画像データを画像処理部１０６に転送する。画像処理部１０６は内包する差分算出演算部１１１により２つのフレーム画像データ間におけるデータ差分量を算出する。そして、画像処理部１０６はデータ差分量を数値化した差分値として制御部１０１に通知する。制御部１０１は内包する比較判定部１１２により通知された差分値と予め定めておいた規定値との比較演算を行い差分値が規定値以下か以上かを判定する。判定結果が規定値以上であった場合は記憶部１０９に保存されている最新フレームの画像データを読み出す。そして、べースバンド部１０４にて送信ＴＣＨ（トラフィックチャンネル）データ内のデータとして変調信号に変換する。そして、無線部１０３にて回線周波数にアップコンバートしアンテナ１０２を介して無線信号として空中線に放射する。以上の動作を連続した２つのフレーム画像データ毎について実行しながら動画像データの送信を実現する。
【００４７】
制御部１０１は、比較判定部１１２により差分値が規定値以下であった場合、内包する通知生成部１１４により画像データ送信停止通知を生成する。そして、送信ＴＣＨデータ内の付加情報ビットを利用して無線回線を介して受信側端末に通知する。通知したのち、画像データの送信動作を停止し、送信ＴＣＨデータ内に画像データを含まない音声通話動作に切り替える。
【００４８】
また制御部１０１は、この後に前記差分値と規定値との比較演算の結果が規定値以上に復帰した場合、内包する通知生成部１１４により画像データ送信再開通知を生成する。そして、送信ＴＣＨデータ内の付加情報ビットを利用して無線回線を介して画像データ送信再開通知を受信側端末に通知する。通知したのち、送信ＴＣＨデータ内に画像データを含むテレビ電話動作に切り替え、画像データの送信動作を再開する。
【００４９】
次に、基地局から動画像データの受信を行う受信側端末について説明する。まず、無線部１０３は、無線信号を空中線からアンテナ１０２を介して入力する。そして、無線部１０３は、回線周波数からダウンコンバートしたのち、ベースバンド部１０４にて復調しデータとして制御部１０１に入力する。
【００５０】
制御部１０１は入力されたデータを画像処理部１０６に入力する。画像処理部１０６は入力されたデータに対して任意の処理を施し１フレームの画像データに復元する。そして、復元したのち、制御部１０１を介して一旦記憶部１０９に画像データとして保存する。記憶部１０９に保存された画像データは制御部１０１からの制御により表示部１０７に出力される。表示部１０７はいわゆる液晶モニタ画面であり入力された画像データを表示する。
【００５１】
以上の動作を受信した各フレーム画像データについて行うことにより動画像データの受信および表示を実現する。
【００５２】
このとき、制御部１０１に内包される通知監視部１１３により、以下の信号を常時監視する。すなわち、送信側端末から無線回線を介して受信ＴＣＨデータ内の付加情報ビットを利用して通知される画像データ送信停止通知および画像データ送信再開通知である。
【００５３】
制御部１０１は、通知監視部１１３により画像データ送信停止通知を検出した場合は受信ＴＣＨデータ内に画像データを含まない音声通話動作に切り替える。そして、制御部１０１は画像データの受信動作を停止し、記憶部１０９に最後に保存した受信画像データを静止画として表示部１０７に表示し、これを継続する。
【００５４】
また制御部１０１は、通知監視部１１３により画像データ送信再開通知を検出した場合は、受信ＴＣＨデータ内に画像データを含むテレビ電話動作に切り替える。そして、制御部１０１は、画像データの受信動作を再開し、新たに受信し記憶部１０９に順次保存更新されていく受信画像データを順次表示部１０７に表示する。
【００５５】
尚、記憶部１０９内には画像データの記憶領域以外に、制御部１０１の動作を実行する為のメインプログラム記憶領域、ワークエリア領域およびＩＤデータ領域などが含まれる。キー操作部１０８はオペレータが各種の端末操作を行う為に使用する入力装置である。
【００５６】
次に図１の送信側端末の制御部１０１の動作を図２に示すフローチャートを使用して説明する。
（ステップ２０１）；記憶部１０９には１フレーム前の画像データと最新フレームの画像データとの連続する２フレーム分の画像データが保存されているものとする。以降の説明においては、１フレーム前の画像データを画像データ（Ａ）、最新フレームの画像データを画像データ（Ｂ）と呼ぶ事とする。さらに新たに取得される第３のフレーム画像を画像データ（Ｃ）と呼ぶ事とする。
（ステップ２０２）；制御部１０１は、画像データ（Ｃ）が取得されると記憶部１０９内においてデータの更新をし、画像データ（Ａ）を記憶部１０９から削除する。そして、画像データ（Ｂ）は新たに画像データ（Ａ）とし、画像データ（Ｃ）は新たに画像データ（Ｂ）として保存する。
（ステップ２０３）；記憶部１０９内の画像データを更新すると、制御部１０１は記憶部１０９内に保持されている画像データ（Ａ）と画像データ（Ｂ）を画像処理部１０６に転送する。そして、画像処理部１０６の差分算出演算部１１１を介して２つの画像データのデータ差分量の数値化した差分値を入手する。
（ステップ２０４）；制御部１０１内は、比較判定部１１２で通知された差分値と予め定めておいた規定値と比較演算を行う。
（ステップ２０５）；制御部１０１は、差分値が規定値以上である場合は、記憶部１０９に保存されている最新フレームの画像データ（Ｂ）を有効データとする。そして、有効データとされた画像データ（Ｂ）を無線回線を介して送信する。
（ステップ２０６）；制御部１０１は、差分値が規定値以下である場合は、記憶部１０９に保存されている最新フレームの画像データ（Ｂ）を無効データとする。
（ステップ２０７）；次に、制御部１０１は、画像データ送信動作停止状態に移行する。このとき同時に制御部１０１内の通知生成部１１４により、画像データ送信停止通知を生成し該画像データ送信停止通知を送信する。
（ステップ２０８）；制御部１０１は、規定値以上と判定される差分値が得られる画像データ（Ｃ）が新たに取得されるまでは以降の画像データについても送信しない状態を継続する。なお記憶部１０９内の画像データ更新は、新たなフレーム画像データ（Ｃ）が取得される毎に実行され、また、比較演算は継続して行われる。
（ステップ２０９）；制御部１０１は、比較判定部１１２により規定値との比較演算結果が規定値以上と判定される画像データ（Ｃ）が新たに取得された場合は画像データ送信再開状態に移行する。このとき同時に制御部１０１内の通知生成部１１４により画像データ送信再開通知を生成し、該画像データ送信再開通知を送信する。
【００５７】
次に図１の受信側端末の制御部１０１の動作を図３に示すフローチャートを使用して説明する。
（ステップ３０１）；制御部１０１は、無線部１０３から入力されたデータを画像処理部１０６に入力する。
（ステップ３０２）；制御部１０１は、画像処理部１０６を介して復元された１フレームの画像データを一旦記憶部１０９に画像データとして保存する。さらに、記憶部１０９に保存された画像データを表示部１０７に出力する。表示部１０７はいわゆる液晶モニタ画面であり入力された画像データを表示する。
（ステップ３０３）；このとき、制御部１０１に内包される通知監視部１１３により、画像データ送信停止通知を常時監視する。この信号は、送信側端末から無線回線を介して受信ＴＣＨデータ内の付加情報ビットを利用して通知される。
【００５８】
画像データ送信停止通知を検出しなかった場合は、制御部１０１は、以上の動作を受信した各フレーム画像データについて行う。その結果、動画像データの受信および表示が継続される。
（ステップ３０４）；制御部１０１は、通知監視部１１３により画像データ送信停止通知を検出した場合は受信ＴＣＨデータ内に画像データを含まない音声通話動作に切り替える。そして、画像データの受信動作を停止し、記憶部１０９に最後に保存した受信画像データを静止画として表示部１０７に表示し、これを継続する。
（ステップ３０５）；このとき、制御部１０１は内包する通知監視部１１３により、画像データ送信再開通知を常時監視する。この信号は、送信側端末から無線回線を介して受信ＴＣＨデータ内の付加情報ビットを利用して通知される。制御部１０１は、画像データ送信再開通知を検出した場合は、ステップ３０１に飛ぶ。すなわち、受信ＴＣＨデータ内に画像データを含むテレビ電話動作に切り替え画像データの受信動作を再開する。そして、新たに受信する画像データを記憶部１０９に順次保存更新し、順次表示部１０７に表示する。
【００５９】
以上説明したように、本発明は、以下の効果がある。
【００６０】
・画像に規定値以上の変化が見られるときのみ、電力削減施策を実施するため、消費電力低減効果が大きくなる。
【００６１】
・電力削減施策を実施するときにも、カメラの電源をオフしないため、画像データ送出再開時のレスポンスが悪くならない。
【００６２】
・画像の変化量が一定値以下の場合は、バッテリライフの延命を図りユーザーの利便性を向上させることができる。なぜなら、画像データ送受信動作を停止するため、送信側移動通信端末における送信パワーの低減できるからである。さらに、送信側と受信側双方の移動通信端末における画像データ処理動作に要する電力が低減できるからである。
【００６３】
・画像の変化量が一定値以下の場合は、有限である回線加入者容量の有効利用に寄与することができる。なぜなら、動画像データの送信を停止するので、通信システムにおける無線トラフィックを低減出来るからである。
【００６４】
上述した実施の形態では、移動通信端末におけるテレビ電話の無線トラフィックの低減化方法について説明したた。本発明は、これに限らず、画像監視端末と画像処理システムとの間の画像データの無線トラフィックの低減化に同様に適用することができることはいうまでもない。
【図面の簡単な説明】
【００６５】
【図１】本発明の移動通信端末の一実施するための最良の形態としての構成図である。
【図２】本発明の移動通信端末の制御部の送信動作を示すフローチャートである。
【図３】本発明の移動通信端末の制御部の受信動作を示すフローチャートである。
【符号の説明】
【００６６】
１０１    制御部
１０２    アンテナ
１０３    無線部
１０４    ベースバンド部
１０５    カメラ部
１０６    画像処理部
１０７    表示部
１０８    キー操作部
１０９    記憶部
１１１    差分算出演算部
１１２    比較判定部
１１３    通知監視部
１１４    通知生成部
【図１】
2005184632.tif 000003
【図２】
2005184632.tif 000004
【図３】
2005184632.tif 000005